Podtech/llm-jp-corpus-v4-ja_patent huggingface dataset:
【手続補正書】
【提出日】令和2年10月30日(2020.10.30)
【手続補正１】
【補正対象書類名】特許請求の範囲
【補正対象項目名】全文
【補正方法】変更
【補正の内容】
【特許請求の範囲】
【請求項１】
識別情報を変動表示させる識別情報表示手段と、
前記識別情報が特定態様で表示されることに基づいて、可変入球口が入球可能状態となる特定遊技を実行する特定遊技実行手段と、
を備え、
前記特定態様として、少なくとも第１の特定態様と第２の特定態様とを有しており、
前記特定遊技実行手段は、前記識別情報が前記第１の特定態様で表示される場合よりも前記識別情報が前記第２の特定態様で表示される場合の方が遊技者にとって有利な前記特定遊技を実行する
遊技機であって、
前記識別情報が前記第２の特定態様で表示される場合は、
前記識別情報が前記特定態様で表示されることを報知する第１演出を実行した後に、遊技者によって第１の特定操作が行われること基づいて、前記識別情報が前記第２の特定態様で表示されることを報知する第２演出を実行可能であり、
前記識別情報が前記特定態様で表示される場合は、
遊技者によって第２の特定操作が行われることに基づいて、前記識別情報が前記特定態様で表示されることを報知する報知演出を実行可能である
ことを特徴とする遊技機。
【請求項２】
請求項１に記載の遊技機において、
前記第１演出が実行された後は、前記第２の特定操作が行われても前記報知演出は実行しない
ことを特徴とする遊技機。
【請求項３】
請求項１または請求項２に記載の遊技機において、
前記第２の特定操作は、前記第１の特定操作よりも遊技者にとっての難易度の高い操作である
ことを特徴とする遊技機。
【請求項４】
請求項１または請求項２に記載の遊技機において、
前記第１の特定操作は、所定の操作部を押す操作であり、前記第２の特定操作は、所定の操作部を回転させる操作である
ことを特徴とする遊技機。
【請求項５】
請求項１または請求項２に記載の遊技機において、
前記第１の特定操作は、所定の操作部を押す操作であり、前記第２の特定操作は、所定の操作部を押す操作と回転させる操作とを組み合わせた操作である
ことを特徴とする遊技機。
【請求項６】
特別図柄を変動表示させる特別図柄表示手段と、
前記特別図柄が特定態様で表示されることに基づいて、可変入球口が入球可能状態となる特定遊技を実行する特定遊技実行手段と、
前記特別図柄の変動表示中に演出図柄を変動表示させる演出図柄表示手段と、
を備える
遊技機であって、
前記演出図柄の変動表示中に遊技者によって特定操作が行われることに基づいて、
前記演出図柄の変動表示を終了し、
次回以後に前記特別図柄を変動表示させた結果として前記特別図柄が前記特定態様で表示される場合は、前記特別図柄が前記特定態様で表示されることを報知する報知演出を実行可能である
ことを特徴とする遊技機。
【請求項７】
請求項６に記載の遊技機において、
前記特定操作が行われていない状態から前記特定操作が行われている状態となると、前記演出図柄の変動表示を終了し、
前記特定操作が行われている状態から前記特定操作が行われていない状態となると、前記報知演出を実行可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
識別情報を変動表示させる識別情報表示手段と、
前記識別情報が特定態様で表示されることに基づいて、可変入球口が入球可能状態となる特定遊技を実行する特定遊技実行手段と、
を備え、
前記特定態様として、少なくとも第１の特定態様と第２の特定態様とを有しており、
前記特定遊技実行手段は、前記識別情報が前記第１の特定態様で表示される場合よりも前記識別情報が前記第２の特定態様で表示される場合の方が遊技者にとって有利な前記特定遊技を実行する
遊技機であって、
前記識別情報が前記第２の特定態様で表示される場合は、
前記識別情報が前記特定態様で表示されることを報知する第１演出を実行した後に、遊技者によって第１の特定操作が行われること基づいて、前記識別情報が前記第２の特定態様で表示されることを報知する第２演出を実行可能であり、
前記識別情報が前記特定態様で表示される場合は、
遊技者によって第２の特定操作が行われることに基づいて、前記識別情報が前記特定態様で表示されることを報知する報知演出を実行可能である
ことを特徴とする。
また、本発明遊技機は、
前記第１演出が実行された後は、前記第２の特定操作が行われても前記報知演出は実行しない
こととしてもよい。
また、本発明遊技機は、
前記第２の特定操作は、前記第１の特定操作よりも遊技者にとっての難易度の高い操作である
こととしてもよい。
また、本発明遊技機は、
前記第１の特定操作は、所定の操作部を押す操作であり、前記第２の特定操作は、所定の操作部を回転させる操作である
こととしてもよい。
また、本発明遊技機は、
前記第１の特定操作は、所定の操作部を押す操作であり、前記第２の特定操作は、所定の操作部を押す操作と回転させる操作とを組み合わせた操作である
こととしてもよい。
また、本発明遊技機は、
特別図柄を変動表示させる特別図柄表示手段と、
前記特別図柄が特定態様で表示されることに基づいて、可変入球口が入球可能状態となる特定遊技を実行する特定遊技実行手段と、
前記特別図柄の変動表示中に演出図柄を変動表示させる演出図柄表示手段と、
を備える
遊技機であって、
前記演出図柄の変動表示中に遊技者によって特定操作が行われることに基づいて、
前記演出図柄の変動表示を終了し、
次回以後に前記特別図柄を変動表示させた結果として前記特別図柄が前記特定態様で表示される場合は、前記特別図柄が前記特定態様で表示されることを報知する報知演出を実行可能である
こととしてもよい。
また、本発明遊技機は、
前記特定操作が行われていない状態から前記特定操作が行われている状態となると、前記演出図柄の変動表示を終了し、
前記特定操作が行われている状態から前記特定操作が行われていない状態となると、前記報知演出を実行可能である
こととしてもよい。
【手続補正書】
【提出日】令和2年4月3日(2020.4.3)
【手続補正１】
【補正対象書類名】特許請求の範囲
【補正対象項目名】全文
【補正方法】変更
【補正の内容】
【特許請求の範囲】
【請求項１】
中空を有するハウジングと，前記中空と連通する通気路を有するマウスピースと，を備え，
前記マウスピースは，口で咥えられた状態で呼気が吹き込まれるものであり，
前記ハウジングは，
前記マウスピースから吹き込まれた空気を反射する反射端と，
前記マウスピースから吹き込まれた空気が抜ける開放端と，を有する
呼吸音響装置。
【請求項２】
前記ハウジングは，筒状であって，一端が前記反射端となり，他端が前記開放端となるものであり，
前記マウスピースは，前記ハウジングの前記反射端と前記開放端の間に設けられている
請求項１に記載の呼吸音響装置。
【請求項３】
前記マウスピースの通気路の内径断面積は，０．６４〜９ｃｍ２である
請求項１に記載の呼吸音響装置。
【請求項４】
前記マウスピースの通気路と前記ハウジングの中空は内径断面積の差が±５％以内である
請求項３に記載の呼吸音響装置。
【請求項５】
前記開放端の内径断面積Ｓ［ｃｍ２］と，前記マウスピースから吹き込まれた空気が前記反射端で反射して前記開放端から抜けるまでの前記装置内の通り道の長さの合計値ｌ［ｃｍ］は，以下の式に表される関係を満足する
請求項１に記載の呼吸音響装置。
［式］
2019084071.tif 000001
ここで，ｆは周波数１６〜２５Ｈｚであり，ｃは音速３５０００ｃｍ／ｓであり，Ｖは肺の全肺気量１５００〜９０００ｍｌである。
【請求項６】
前記反射端は，開口を有しないか，一又は複数の開口を有するか，又は開口面積を調整可能な機構を有し，前記反射端の開口総断面積は前記開放端の開口断面積の７５％以下である
請求項１に記載の呼吸音響装置。
【手続補正書】
【提出日】令和1年12月2日(2019.12.2)
【手続補正１】
【補正対象書類名】明細書
【補正対象項目名】０００４
【補正方法】変更
【補正の内容】
【０００４】
しかしながら、従来システムでは、一旦登録済みの認証キーのＩＤ情報を全抹消した後に再度登録したい認証キーのＩＤ情報を登録し直すという作業が必要であった。
【手続補正２】
【補正対象書類名】明細書
【補正対象項目名】０００５
【補正方法】変更
【補正の内容】
【０００５】
そこで、本発明は上記問題点に鑑みてなされたものであり、簡便に認証キーの追加登録処理を行うことができる開閉体制御システムを提供することを目的とするものである。
【手続補正書】
【提出日】令和1年12月18日(2019.12.18)
【手続補正１】
【補正対象書類名】明細書
【補正対象項目名】発明の名称
【補正方法】変更
【補正の内容】
【発明の名称】化合物、発光素子、発光装置、電子機器および照明装置
【手続補正２】
【補正対象書類名】特許請求の範囲
【補正対象項目名】全文
【補正方法】変更
【補正の内容】
【特許請求の範囲】
【請求項１】
下記一般式（Ｇ０）で表される、化合物。
【化１】
2018104359.tif 000001
（一般式（Ｇ０）において、Ａは、含窒素複素芳香環を表し、Ｂ１乃至Ｂ４のいずれか一は、炭素数１乃至６のアルキル基、置換もしくは無置換の炭素数３乃至７のシクロアルキル基を表し、その他は、それぞれ独立に、水素、炭素数１乃至６のアルキル基、置換もしくは無置換の炭素数３乃至７のシクロアルキル基、または置換もしくは無置換の炭素数６乃至１３のアリール基、のいずれかを表し、Ｒ１乃至Ｒ１２は、それぞれ独立に、水素、炭素数１乃至６のアルキル基、置換もしくは無置換の炭素数３乃至７のシクロアルキル基、または置換もしくは無置換の炭素数６乃至１３のアリール基、のいずれかを表し、Ａｒ１及びＡｒ２はそれぞれ独立に置換もしくは無置換の炭素数６乃至２５のアリーレン基を表し、ｎ、ｋは０乃至３の整数を表し、ｍは１乃至３の整数を表す。）
【請求項２】
請求項１において、
前記含窒素複素芳香環の炭素数が１乃至５である、化合物。
【請求項３】
請求項１または請求項２において、
前記含窒素複素芳香環がピリジン、ジアジン、トリアジンのいずれか一である、化合物。
【請求項４】
下記構造式（１００）で表される化合物。
【化２】
2018104359.tif 000002
【請求項５】
一対の電極間にＥＬ層を有し、
前記ＥＬ層は発光層及び電子輸送層を有し、
前記発光層もしくは前記電子輸送層の少なくとも一方に、請求項１乃至請求項４のいずれか一項に記載の化合物を有する、発光素子。
【請求項６】
請求項５において、
前記発光層に、請求項１乃至請求項４のいずれか一項に記載の化合物よりもＨＯＭＯ準位の高い材料が重量比で１０％以上含まれる、発光素子。
【請求項７】
請求項５または請求項６に記載の発光素子を有する発光部と、基板と、を有する、発光装置。
【請求項８】
請求項７に記載の発光装置と、筐体およびタッチセンサの少なくとも一と、を有する、電子機器。
【請求項９】
請求項７に記載の発光装置と、
筐体、接続端子、または、保護カバーと、を備える、照明装置。
【請求項１０】
下記構造式（５００）または（５０１）で表される化合物。
【化３】
2018104359.tif 000003
【手続補正書】
【提出日】令和2年8月26日(2020.8.26)
【手続補正１】
【補正対象書類名】特許請求の範囲
【補正対象項目名】請求項２
【補正方法】変更
【補正の内容】
【請求項２】
前記第２の収容部は、前記記録材としての液体を収容する液体収容体を装着可能、または、前記液体収容体を収容した容器を装着可能であることを特徴とする、請求項１に記載の印刷システム。
【手続補正２】
【補正対象書類名】特許請求の範囲
【補正対象項目名】請求項５
【補正方法】変更
【補正の内容】
【請求項５】
印刷装置と、
当該印刷装置の下方に配置され、媒体を収容する増設ユニットと、
前記印刷装置の印刷部に前記媒体を搬送する搬送経路と、
前記搬送経路に配置されるフィードローラーと、を有し、
前記印刷装置は、
前記媒体に対して記録材を用いて印刷する前記印刷部と、
前記媒体を収容する第１の収容部と、
前記第１の収容部に収容された前記媒体を前記搬送経路に送り出す第１の給紙機構と、
前記搬送経路において、前記第１の給紙機構よりも前記媒体の搬送方向の下流に配置される反転ローラーと、
前記第１の収容部の下方に配置され、前記記録材としての液体を収容する液体収容体を装着可能、または、前記液体収容体を収容した容器を装着可能である第２の収容部と、を備え、
前記増設ユニットは、
前記第２の収容部の下方に配置され、
前記媒体を収容する第３の収容部と、
前記第３の収容部に収容された前記媒体を前記搬送経路に送り出す第２の給紙機構と、を有し、
前記フィードローラーは、水平方向において前記第２の収容部と重複する位置に配置され、前記第２の給紙機構で送り出された前記媒体を前記反転ローラーに向かって搬送することを特徴とする印刷システム。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
媒体が搬送される搬送経路と、
前記搬送経路を搬送される前記媒体を検出する光学式の媒体検出手段と、
前記搬送経路と前記媒体検出手段との間に設けられ、前記媒体検出手段の検出光が透過可能な透過部と、を備え、
前記透過部は、前記検出光の光軸と交差する方向に移動可能に設けられ、移動によって前記媒体検出手段に対向する部位が別の部位と入れ替わる、
ことを特徴とする媒体搬送装置。
【請求項２】
請求項１に記載の媒体搬送装置において、
前記透過部は、移動後に元の位置に復帰可能に構成されている、
ことを特徴とする媒体搬送装置。
【請求項３】
請求項２に記載の媒体搬送装置において、
前記透過部を保持するとともに、前記媒体検出手段に対して前記光軸と交差する方向に相対的に往復移動する移動体と、
前記媒体検出手段の位置に対し、前記移動体の移動方向の少なくとも一方側に設けられ、前記透過部を拭き取る拭取部と、を備える、
ことを特徴とする媒体搬送装置。
【請求項４】
請求項３に記載の媒体搬送装置において、
前記拭取部は、前記媒体検出手段の位置に対し、前記移動体の移動方向の両側に設けられている、
ことを特徴とする媒体搬送装置。
【請求項５】
請求項３または請求項４に記載の媒体搬送装置において、
前記移動体は、前記移動体を移動させるために用いる取手部を備える、
ことを特徴とする媒体搬送装置。
【請求項６】
請求項３から請求項５のいずれか一項に記載の媒体搬送装置において、
前記移動体を移動させることで、前記拭取部によって拭き取られた前記透過部の部位を前記媒体検出手段と対向する位置に配置する、
ことを特徴とする媒体搬送装置。
【請求項７】
請求項１から請求項６のいずれか一項に記載の媒体搬送装置において、
前記媒体検出手段は、前記検出光を発する発光部および前記発光部から発せられた前記検出光のうち反射して戻る反射光を受光する受光部を備え、
前記搬送経路を形成する一対の経路形成部材のうち、一方側経路形成部材に前記検出光及び前記反射光が通る開口部が形成され、前記開口部を介して前記透過部が前記搬送経路に露呈する、
ことを特徴とする媒体搬送装置。
【請求項８】
請求項１から請求項６のいずれか一項に記載の媒体搬送装置において、
前記媒体検出手段は、前記検出光を発する発光部および前記発光部から発せられた前記検出光のうち反射して戻る反射光を受光する受光部を備え、
前記搬送経路を形成する一対の経路形成部材のうち、一方側経路形成部材側に前記透過部が設けられ、前記一方側経路形成部材と対向する他方側経路形成部材において、前記透過部と対向する位置に、孔部が形成されている、
ことを特徴とする媒体搬送装置。
【請求項９】
請求項８に記載の媒体搬送装置において、
前記孔部は、前記孔部への入射光を、入射方向とは異なる方向に反射させる形状に形成されている、
ことを特徴とする媒体搬送装置。
【請求項１０】
前記媒体に記録を行う記録手段と、
前記媒体を搬送する請求項１から請求項９のいずれか一項に記載の前記媒体搬送装置と、を備える、
ことを特徴とする記録装置。
【請求項１１】
請求項１０に記載の記録装置において、
前記媒体搬送装置における前記媒体検出手段は、前記記録手段に対して搬送方向下流側に設けられている、
ことを特徴とする記録装置。
【手続補正書】
【提出日】令和1年12月18日(2019.12.18)
【手続補正１】
【補正対象書類名】特許請求の範囲
【補正対象項目名】全文
【補正方法】変更
【補正の内容】
【特許請求の範囲】
【請求項１】
蒸着源と、前記蒸着源を移動させる手段と、を有する成膜室を有し、
前記蒸着源は、蒸着材料を有する第１のルツボと、前記第１のルツボを内側に備えた第２のルツボと、を有する製造装置。
【請求項２】
搬入室と、前記搬入室に連結された搬送室と、前記搬送室に連結された複数の成膜室と、を有し、
前記成膜室の少なくとも一は、蒸着源と、前記蒸着源を移動させる手段と、を有し、
前記蒸着源は、蒸着材料を有する第１のルツボと、前記第１のルツボを内側に備えた第２のルツボと、を有する製造装置。
【請求項３】
請求項１または請求項２において、
前記蒸着源の加熱は、前記第２のルツボに設けられた加熱手段により行う製造装置。
【請求項４】
請求項１乃至請求項３のいずれか一において、
前記第１のルツボは赤外線放射率の高い材料からなり、
前記第２のルツボは熱伝導率の高い材料からなる製造装置。
【請求項５】
請求項４において、
前記赤外線放射率の高い材料は、酸化物系のアルミナ、ジルコニア、チタン酸バリウム、炭化物系の炭化ケイ素、窒化物系の窒化ケイ素、窒化アルミニウム、窒化ホウ素、ハロゲン化物系の蛍石、あるいはそれらの材質の複合体である製造装置。
【請求項６】
請求項４または請求項５において、
前記熱伝導率の高い材料は、銀、銅、金、白金、アルミニウム、チタン、鉄、ニッケル、イリジウム等の金属材料、またはそれらの合金である製造装置。
【請求項７】
請求項１乃至請求項６のいずれか一において、
前記第１のルツボと、前記第１のルツボと同様に蒸着材料を有する別の第１のルツボとを交換することによって、前記蒸着源の蒸着材料を交換する製造装置。
【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
作業者が着る衣服の外部の空気を前記衣服の内部に送り込むファンを有するファン本体と、
前記ファン本体に対して着脱可能なアダプタと、
を有し、
前記アダプタの前記ファン本体への装着は、前記アダプタと前記ファン本体を、前記ファンの軸方向に交差する方向に相対回転させることで行われる、送風装置。
【請求項２】
前記アダプタは、突起を有し、
前記ファン本体は、
筒部と、
前記筒部の円周方向に沿って設けられた取り付け溝と、
を有し、
前記アダプタと前記ファン本体とが相対回転されると、前記突起が前記取り付け溝内で移動する、請求項１記載の送風装置。
【請求項３】
前記ファン本体は、前記取り付け溝につながる切り欠きを有し、
前記アダプタの前記突起を前記切り欠きに進入させた後に、前記アダプタと前記ファン本体とが相対回転されると、前記突起が前記取り付け溝内で移動して、前記アダプタが前記ファン本体に装着される、請求項２記載の送風装置。
【請求項４】
前記ファン本体及び前記アダプタを停止させると、前記アダプタと前記ファン本体とが互いに固定される、請求項１乃至３の何れか１項記載の送風装置。
【請求項５】
前記取り付け溝及び前記突起は、前記アダプタの円周方向に複数設けられている、請求項２または３記載の送風装置。
【請求項６】
前記ファン本体は、
前記ファンの軸方向と略平行に前記空気を吸い込む吸気口と、
前記空気を排出する排気口と、
を有する、請求項１乃至５の何れか１記載の送風装置。
【請求項７】
前記ファン本体は、
前記ファンの軸方向と略平行に前記空気を吸い込む吸気口と、
前記空気を排出する排気口と、
を有し、
前記取り付け溝は、前記ファンの軸方向において前記吸気口と前記排気口との間に配置される、請求項２、３、５の何れか１項記載の送風装置。
【請求項８】
前記ファンを駆動するモータを有し、
前記モータは、電圧を印加する電源部に接続される、請求項１乃至７の何れか１項記載の送風装置。
【請求項９】
前記筒部から突出されたフランジが設けられ、
前記フランジの外径は、前記筒部の外径よりも大きく、
前記取り付け溝と前記フランジとが、前記ファンの軸方向に並んで配置されている、請求項２、３、５の何れか１項記載の送風装置。
【請求項１０】
請求項１乃至９の何れか１項に記載された前記送風装置と、
前記送風装置を取り付け及び取り外し可能な取り付け孔と、
を有する衣服。
【請求項１１】
前記ファン本体は、
筒部と、
前記筒部から突出されたフランジと、
を有し、
前記取り付け孔の内径は、前記筒部の外径よりも大きく、前記フランジの外径よりも小さく、
前記筒部が前記取り付け孔に挿入され、かつ、前記フランジと前記アダプタとにより前記衣服を挟んで前記送風装置が取り付けられる、請求項１０に記載の衣服。
【手続補正２】
【補正対象書類名】明細書
【補正対象項目名】発明の名称
【補正方法】変更
【補正の内容】
【発明の名称】送風装置及び衣服
【手続補正３】
【補正対象書類名】明細書
【補正対象項目名】０００１
【補正方法】変更
【補正の内容】
【０００１】
本開示は、衣服の内側に空気を送り込む送風装置及び衣服に関する。
【手続補正４】
【補正対象書類名】明細書
【補正対象項目名】０００７
【補正方法】変更
【補正の内容】
【０００７】
本開示の目的は、衣服及びベルトの何れにも取り付け可能な小型で風量の大きな送風装置、及び送風装置を取り付け可能な衣服を提供することにある。
【手続補正５】
【補正対象書類名】明細書
【補正対象項目名】０００８
【補正方法】変更
【補正の内容】
【０００８】
一実施形態の送風装置は、作業者が着る衣服の外部の空気を前記衣服の内部に送り込むファンを有するファン本体と、前記ファン本体に対して着脱可能なアダプタと、を有し、前記アダプタの前記ファン本体への装着は、前記アダプタと前記ファン本体を、前記ファンの軸方向に交差する方向に相対回転させることで行われる。
【手続補正６】
【補正対象書類名】明細書
【補正対象項目名】０００９
【補正方法】変更
【補正の内容】
【０００９】
他の実施形態の衣服は、送風装置と、前記送風装置を取り付け及び取り外し可能な取り付け孔と、を有する。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】変更
【補正の内容】
【００１１】
一実施形態の送風装置は、衣服及びベルトの何れにも取り付け可能である。また、他の実施形態の衣服は、送風装置を取り付け及び取り外し可能である。
【手続補正９】
【補正対象書類名】図面
【補正対象項目名】図７
【補正方法】変更
【補正の内容】
【図７】
2018104845.tif 000001
【手続補正書】
【提出日】令和2年2月12日(2020.2.12)
【手続補正１】
【補正対象書類名】明細書
【補正対象項目名】００６９
【補正方法】変更
【補正の内容】
【００６９】
酸化防止剤、紫外線吸収剤、光安定剤、遮熱材料、アンチブロッキング剤については、前述の、Ｘ層が合わせガラス用中間膜として用いられる場合における説明と同じものが挙げられる。
顔料としては、有機系顔料、無機系顔料が挙げられる。有機系顔料としては、例えば、アゾ系顔料、キナクリドン系顔料、フタロシアニン系顔料などが挙げられる。無機系顔料としては、例えば、酸化チタン、酸化亜鉛、硫化亜鉛、カーボンブラック、鉛系顔料、カドミウム系顔料、コバルト系顔料、鉄系顔料、クロム系顔料、群青、紺青などが挙げられる。
染料としては、例えば、アゾ系、アントラキノン系、フタロシアニン系、キナクリドン系、ペリレン系、ジオキサジン系、アンスラキノ系、インドリノン系、イソインドリノン系、キノンイミン系、トリフェニルメタン系、チアゾール系、ニトロ系、ニトロソ系などの染料が挙げられる。
軟化剤としては、例えばパラフィン系、ナフテン系、芳香族系などの炭化水素系油；落花生油、ロジンなどの植物油；リン酸エステル；低分子量ポリエチレングリコール；流動パラフィン；低分子量ポリエチレン、エチレン−α−オレフィン共重合オリゴマー、液状ポリブテン、液状ポリイソプレンまたはその水素添加物、液状ポリブタジエンまたはその水素添加物、などの炭化水素系合成油などの公知の軟化剤を用いることができる。これらは１種を単独で、または２種以上を併用してもよい。
【手続補正書】
【提出日】令和2年3月18日(2020.3.18)
【手続補正１】
【補正対象書類名】明細書
【補正対象項目名】００２２
【補正方法】変更
【補正の内容】
【００２２】
選別装置１０は、トロンメル５によって事前選別された破砕片を添加金属の含有割合に応じて更に選別する。例えば鉄合金にマンガン又はクロム等の添加金属が多く含まれている場合、リサイクル用途として鋳鉄に用いることが好ましくない場合がある。例えば、マンガン又はクロムの含有量が多い鋼は、鋳造における凝固時に黒鉛が析出しにくくなったり、チルと称される脆い組織が生成されることがある。従って、本実施形態では添加金属の含有割合が高い破砕片を低品位側に選別し、添加金属の含有割合が低い破砕片を高品位側に選別する。なお、破砕片の組成は鉄合金に限られず、他の合金（例えばアルミニウム合金）であってもよいし、添加金属もマンガン又はクロム以外（例えばニッケル）であってもよい。また、合金の種類によっては、添加金属の含有割合が高い破砕片を高品位側に選別してもよい。
【手続補正書】
【提出日】令和2年7月8日(2020.7.8)
【手続補正１】
【補正対象書類名】明細書
【補正対象項目名】００１０
【補正方法】変更
【補正の内容】
【００１０】
１  靴型前部
２  靴型中間部
３  靴型後部
４  ワッシャー
５  靴型の長さ
６  つま先
【手続補正書】
【提出日】令和2年10月20日(2020.10.20)
【手続補正１】
【補正対象書類名】特許請求の範囲
【補正対象項目名】全文
【補正方法】変更
【補正の内容】
【特許請求の範囲】
【請求項１】
プレイ行為を入力するための入力手段と、前記プレイ行為を実行すべき実行時期に対応する指示標識及び現在時刻の基準として機能する基準標識を含むゲーム画面を表示する表示手段とに接続され、前記実行時期に前記基準標識と一致するように前記指示標識を移動させることにより前記ゲーム画面を通じて前記実行時期を案内するとともに、前記指示標識に対応する実際のプレイ行為が実行された場合に当該実際のプレイ行為に応じた進行を付加するゲームを提供するゲームシステムであって、
前記入力手段を介して前記ゲーム画面の一部範囲を指定する指定行為が入力された場合に、当該一部範囲に消滅条件が満たされるまで補助領域を設定する領域設定手段と、
前記指示標識の位置が前記補助領域の位置と一致した場合に、前記指示標識の位置と前記補助領域の位置との一致が前記実際のプレイ行為を代替するように当該一致に合わせて前記ゲームに所定の進行を付加する進行付加手段と、
を備え、
前記実際のプレイ行為は複数の態様を有し、前記一致は、前記複数の態様のうちの一つの態様の前記実際のプレイ行為を代替する、
ゲームシステム。
【請求項２】
ある時期において前記一致により代替される前記実際のプレイ行為と、前記ある時期とは異なる時期において前記一致により代替される前記実際のプレイ行為とは、前記実際のプレイ行為が行われる位置のみが異なる、
請求項１に記載のゲームシステム。
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
中空で略球状の収容体と、
前記収容体に収容される複数の部品とを有し、
前記複数の部品の少なくとも一部および前記収容体の少なくとも一部により人形を形成可能であり、
前記収容体は少なくともそれぞれ開口を有する第１の部材と第２の部材により形成され、前記第１の部材および前記第２の部材は、互いの前記開口を接合することにより前記略球状の収容体の少なくとも一部を形成し、また、前記開口を下にした前記第２の部材が前記開口を下にした前記第１の部材に重なることにより、前記人形の下半身部分の少なくとも一部を形成する人形型玩具。
【請求項２】
請求項１に記載の人形型玩具であって、
前記収容体の一部がスカートを模している人形型玩具。
【請求項３】
請求項１または請求項２に記載の人形型玩具であって、
前記収容体に軟質シートが収容されている人形型玩具。
【請求項４】
請求項３に記載の人形型玩具であって、
前記収容体の表面にスリットが形成されている人形型玩具。
【請求項５】
請求項１に記載の人形型玩具であって、
前記部品には上半身部分を形成する部品が含まれており、当該上半身部分を形成する部品の背中面にはスリットが形成されている人形型玩具。
【請求項６】
それぞれ開口を有し、前記開口を下にした一方が前記開口を下にした他方に重なることにより下半身部分の少なくとも一部を形成する第１の部材と第２の部材が互いの前記開口を接合することにより物品を収容可能な略球状の収容体の少なくとも一部を形成し、当該収容体には下半身部分以外の部分の少なくとも一部が収容可能である人形型玩具。
【請求項７】
それぞれ開口を有し、前記開口を下にした一方が前記開口を下にした他方に重なることにより下半身部分の少なくとも一部を形成する第１の部材と第２の部材を組み換えることにより物品を収容可能な略球状の収容体の少なくとも一部を形成でき、当該収容体には下半身部分以外の部分の少なくとも一部が収容可能である人形型玩具。
【請求項８】
それぞれ開口を有し、互いの当該開口を接合することにより物品を収容可能な略球状の収容体の少なくとも一部を形成する第１の部材と第２の部材が前記開口を下にした一方が前記開口を下にした他方に重なることにより下半身部分の少なくとも一部を形成し、前記収容体には下半身部分以外の部分の少なくとも一部が収容されている人形型玩具。
【手続補正２】
【補正対象書類名】明細書
【補正対象項目名】０００６
【補正方法】変更
【補正の内容】
【０００６】
本発明に係る人形型玩具は、中空の収容体と、前記収容体に収容される複数の部品とを有し、前記複数の部品の少なくとも一部および前記収容体の少なくとも一部により人形を形成可能であり、前記収容体の一部は前記人形の下半身部分の少なくとも一部を形成することを特徴とする。また、本発明に係る人形型玩具は、中空で略球状の収容体と、前記収容体に収容される複数の部品とを有し、前記複数の部品の少なくとも一部および前記収容体の少なくとも一部により人形を形成可能であり、前記収容体は少なくともそれぞれ開口を有する第１の部材と第２の部材により形成され、前記第１の部材および前記第２の部材は、互いの前記開口を接合することにより前記略球状の収容体の少なくとも一部を形成し、また、前記開口を下にした前記第２の部材が前記開口を下にした前記第１の部材に重なることにより、前記人形の下半身部分の少なくとも一部を形成することを特徴とする。また、本発明に係る人形型玩具は、それぞれ開口を有し、前記開口を下にした一方が前記開口を下にした他方に重なることにより下半身部分の少なくとも一部を形成する第１の部材と第２の部材が互いの前記開口を接合することにより物品を収容可能な略球状の収容体の少なくとも一部を形成し、当該収容体には下半身部分以外の部分の少なくとも一部が収容可能であることを特徴とする。また、本発明に係る人形型玩具は、それぞれ開口を有し、前記開口を下にした一方が前記開口を下にした他方に重なることにより下半身部分の少なくとも一部を形成する第１の部材と第２の部材を組み換えることにより物品を収容可能な略球状の収容体の少なくとも一部を形成でき、当該収容体には下半身部分以外の部分の少なくとも一部が収容可能であることを特徴とする。また、本発明に係る人形型玩具は、それぞれ開口を有し、互いの当該開口を接合することにより物品を収容可能な略球状の収容体の少なくとも一部を形成する第１の部材と第２の部材が前記開口を下にした一方が前記開口を下にした他方に重なることにより下半身部分の少なくとも一部を形成し、前記収容体には下半身部分以外の部分の少なくとも一部が収容されていることを特徴とする。
【手続補正書】
【提出日】令和1年12月13日(2019.12.13)
【手続補正１】
【補正対象書類名】特許請求の範囲
【補正対象項目名】全文
【補正方法】変更
【補正の内容】
【特許請求の範囲】
【請求項１】
可変表示を行い有利状態に制御可能な遊技機であって、
前記有利状態に制御される期待度に応じて表示態様を段階的に変化可能な特定表示を行う特定表示手段と、
前記有利状態に制御されることを示唆する特別演出を実行可能な特別演出実行手段と、
共通の導入演出を行った後に成功演出または失敗演出のいずれかを行う特定演出を実行可能な特定演出実行手段と、を備え、
前記特定表示手段は、
特定表示の表示態様が変化されることが報知された後所定期間が経過したときに前記特定表示の表示態様を変化させ、
複数のタイミングにおいて特定表示の表示態様を変化可能であり、特定表示の表示態様が変化することに応じて前記有利状態に制御される割合が高くなり、
前記特別演出実行手段は、特定表示の表示態様が変化されることが報知された以後の所定期間において前記特別演出の実行を制限し、
前記特定演出実行手段は、特定表示の表示態様が前記有利状態に制御される割合が高い表示態様に変化することの報知を行った後の所定期間において前記特定演出を実行する場合は、前記失敗演出が行われる前記特定演出は実行せず、前記成功演出が行われる前記特定演出は実行可能である、
ことを特徴とする遊技機。
【手続補正２】
【補正対象書類名】明細書
【補正対象項目名】０００７
【補正方法】変更
【補正の内容】
【０００７】
（Ａ）上記目的を達成するため、本発明に係る遊技機は、
可変表示を行い有利状態に制御可能な遊技機であって、
前記有利状態に制御される期待度に応じて表示態様を段階的に変化可能な特定表示を行う特定表示手段と、
前記有利状態に制御されることを示唆する特別演出を実行可能な特別演出実行手段と、
共通の導入演出を行った後に成功演出または失敗演出のいずれかを行う特定演出を実行可能な特定演出実行手段と、を備え、
前記特定表示手段は、
特定表示の表示態様が変化されることが報知された後所定期間が経過したときに前記特定表示の表示態様を変化させ、
複数のタイミングにおいて特定表示の表示態様を変化可能であり、特定表示の表示態様が変化することに応じて前記有利状態に制御される割合が高くなり、
前記特別演出実行手段は、特定表示の表示態様が変化されることが報知された以後の所定期間において前記特別演出の実行を制限し、
前記特定演出実行手段は、特定表示の表示態様が前記有利状態に制御される割合が高い表示態様に変化することの報知を行った後の所定期間において前記特定演出を実行する場合は、前記失敗演出が行われる前記特定演出は実行せず、前記成功演出が行われる前記特定演出は実行可能である、
ことを特徴とする。
（１）上記目的を達成するため、他の態様に係る遊技機は、
可変表示を行い有利状態に制御可能な遊技機（例えばパチンコ遊技機１など）であって、
有利度に応じて表示態様を段階的に変化可能な特定表示を行う特定表示手段（例えば特定表示演出を行う演出制御用ＣＰＵ１２０など）と、
前記有利状態に制御されることを示唆する特別演出を実行可能な特別演出実行手段（例えば予告演出を実行する演出制御用ＣＰＵ１２０など）と、を備え、
前記特定表示手段は、特定表示の表示態様が変化されることが報知された後所定期間が経過したときに前記特定表示の表示態様を変化させ（例えば特定表示としてのアイコンが表示されることを報知する特定表示変化報知が所定期間継続して行われ、その後アイコンが表示される（特定表示が変化する）など）、
前記特別演出実行手段は、特定表示の表示態様が変化されることが報知された以後の所定期間において前記特別演出の実行を制限する（例えば特定表示演出の実行期間と予告演出の実行期間とが重畳するタイミングが選択不可となるよう予告演出の実行タイミングを決定するなど）、
ことを特徴とする。
【手続補正書】
【提出日】令和2年7月31日(2020.7.31)
【手続補正１】
【補正対象書類名】特許請求の範囲
【補正対象項目名】全文
【補正方法】変更
【補正の内容】
【特許請求の範囲】
【請求項１】
対をなす第１フレーム及び第２フレームと、
第１端部が、前記第１フレームに支持された第１回動軸を回動中心として前記第１フレームに回動自在に軸支され、第２端部が、前記第２フレームに支持された第２回動軸を回動中心として前記第２フレームに回動自在に軸支された第１アーム部材と、
前記第１フレームに対して前記第１アーム部材を揺動させることによって前記第２フレームを移動させるアクチュエータと、
前記第１アーム部材の軸線に対して平行に延び、第１端部が、前記第１フレームに支持された第３回動軸を回動中心として第１フレームに回動自在に軸支され、第２端部が、前記第２フレームに支持された第４回動軸を回動中心として第２フレームに回動自在に軸支された第２アーム部材と、を含み、
前記アクチュエータが、駆動部の作動によって前記第１アーム部材の軸線方向に沿って移動する作動ロッドと、
基端部が前記第２アーム部材の前記第１端部とともに前記第１フレームに回動自在に接続され、先端部が前記作動ロッドに接続されるリンク部材と、を有し、
前記第１アーム部材、前記第２アーム部材、前記第１フレーム及び前記第２フレームによって平行リンクが構成されており、
前記第１アーム部材は中空状であり、当該第１アーム部材の内部に前記アクチュエータ、及び前記第２アーム部材が収容されていることを特徴とするアーム型助力装置。
【請求項２】
前記第１アーム部材は、間隔を空けて対向する一対のアームガイドを前記軸線方向に延びる状態で備え、前記第２アーム部材は前記一対のアームガイドの間に配置され、前記一対のアームガイドの内面間に区画された開口部が前記第２アーム部材によって閉鎖されている請求項１に記載のアーム型助力装置。
【請求項３】
前記第１アーム部材の前記第１端部は板状であり、前記第１フレームは二股に分岐した第１軸支部を備え、前記第１アーム部材の前記第１端部と、当該第１端部を挟む前記第１軸支部に前記第１回動軸が挿通され、前記第１軸支部に支持された前記第１回動軸によって前記第１端部が回動自在とされ、
前記第１アーム部材の前記第２端部は二股に分岐しており、前記第２フレームは板状の第２軸支部を備え、前記第２フレームの前記第２軸支部と、当該第２軸支部を挟む前記第２端部に前記第２回動軸が挿通され、前記第２軸支部に支持された前記第２回動軸によって前記第２端部が回動自在とされている請求項１又は請求項２に記載のアーム型助力装置。
【請求項４】
前記作動ロッドには、前記リンク部材の先端部が回動自在に軸支されるとともに、ガイドローラが回転自在に軸支され、前記第１アーム部材の内部には、前記ガイドローラを前記第１アーム部材の軸線方向に移動させるガイド部材が設けられている請求項１〜請求項３のうちいずれか一項に記載のアーム型助力装置。
【請求項５】
前記第１アーム部材の内部には、前記作動ロッドが貫通するロッドカバーが設けられ、前記作動ロッドは、前記第１アーム部材の軸線方向に当該作動ロッドが移動するように前記ロッドカバーに支持されている請求項１〜請求項４のうちのいずれか一項に記載のアーム型助力装置。
【請求項６】
前記第１アーム部材は、中心軸線が前記第１アーム部材の軸線方向に延びる円筒状の筒状部を備えるとともに、前記筒状部には前記ロッドカバー及びヘッドカバーによってピストン室が区画されており、前記駆動部は、前記ピストン室と、当該ピストン室に収容されたピストンとを備え、前記ピストンに前記作動ロッドが連結され、前記平行リンクの変位に伴い前記リンク部材及び前記作動ロッドを介して前記ピストン室で前記ピストンが移動すると、前記ピストン室の容積変化に応じて流体の圧力調整が行われるようになっており、前記ヘッドカバーには、前記ピストン室への前記流体の供給停止に伴って前記ピストン室を閉鎖する開閉弁が設置されている請求項５に記載のアーム型助力装置。
【請求項７】
前記アクチュエータは、前記駆動部及び前記作動ロッドを収容する筒状部であるシリンダチューブを有し、前記第１アーム部材の中空状は前記シリンダチューブによって構成されている請求項１に記載のアーム型助力装置。
【手続補正２】
【補正対象書類名】明細書
【補正対象項目名】００１１
【補正方法】変更
【補正の内容】
【００１１】
また、アーム型助力装置について、前記第１アーム部材は、中心軸線が前記第１アーム部材の軸線方向に延びる円筒状の筒状部を備えるとともに、前記筒状部には前記ロッドカバー及びヘッドカバーによってピストン室が区画されており、前記駆動部は、前記ピストン室と、当該ピストン室に収容されたピストンとを備え、前記ピストンに前記作動ロッドが連結され、前記平行リンクの変位に伴い前記リンク部材及び前記作動ロッドを介して前記ピストン室で前記ピストンが移動すると、前記ピストン室の容積変化に応じて流体の圧力調整が行われるようになっており、前記ヘッドカバーには、前記ピストン室への前記流体の供給停止に伴って前記ピストン室を閉鎖する開閉弁が設置されていてもよい。
また、アーム型助力装置について、前記アクチュエータは、前記駆動部及び前記作動ロッドを収容する筒状部であるシリンダチューブを有し、前記第１アーム部材の中空状は前記シリンダチューブによって構成されていてもよい。
【手続補正書】
【提出日】令和2年2月28日(2020.2.28)
【手続補正１】
【補正対象書類名】特許請求の範囲
【補正対象項目名】全文
【補正方法】変更
【補正の内容】
【特許請求の範囲】
【請求項１】
電動送風機を内部に有し、前記電動送風機からの空気を排気するための排気口を有する中間部と、当該中間部から後方へ向けて延在する上アーム部及び下アーム部と、前記上アーム部と前記下アーム部との間に介在する把手部と、を有する本体部、を有し、
前記本体部の前方には、電動送風機からの吸引風が通過する接続管部と、当該接続管部上で着脱可能に配置されたダストボックスと、が配され、
前記ダストボックスの中心軸と前記電動送風機の中心軸が、略同じ軸線上に存在し、
前記吸引風は、前記接続管部から前記ダストボックスを通過した後に前記電動送風機に入るように構成されている、電気掃除機。
【請求項２】
前記接続管部の上面には第１の開口部が配されており、
前記ダストボックスは、前記本体部に装着された状態で、前記接続管部に向けて開口する第２の開口部と、前記本体部に向けて開口する第３の開口部を有し、
前記本体部は前方に第４の開口部を有し、
前記ダストボックスを前記本体部に装着した状態で、前記第１の開口部と前記第２の開口部が接続されると共に、前記第３の開口部と前記第４の開口部が接続され、前記接続管部と前記ダストボックスと前記電動送風機との間に空気の流路が形成されている、請求項１に記載の電気掃除機。
【請求項３】
前記上アーム部と前記下アーム部との間の幅が、前方から後方に向けて徐々に増加している、請求項１または２に記載の電気掃除機。
【手続補正２】
【補正対象書類名】明細書
【補正対象項目名】０００６
【補正方法】変更
【補正の内容】
【０００６】
本発明は、電動送風機を内部に有し、前記電動送風機からの空気を排気するための排気口を有する中間部と、当該中間部から後方へ向けて延在する上アーム部及び下アーム部と、前記上アーム部と前記下アーム部との間に介在する把手部と、を有する本体部、を有し、前記本体部の前方には、電動送風機からの吸引風が通過する接続管部と、当該接続管部上で着脱可能に配置されたダストボックスと、が配され、前記ダストボックスの中心軸と前記電動送風機の中心軸が、略同じ軸線上に存在し、前記吸引風は、前記接続管部から前記ダストボックスを通過した後に前記電動送風機に入るように構成されている、電気掃除機である。
【手続補正書】
【提出日】令和1年12月11日(2019.12.11)
【手続補正１】
【補正対象書類名】特許請求の範囲
【補正対象項目名】全文
【補正方法】変更
【補正の内容】
【特許請求の範囲】
【請求項１】
遊技者にとって有利な有利状態に制御可能な遊技機であって、
遊技者の操作により項目の選択を受付け可能な選択手段と、
複数種類の演出を実行可能な演出実行手段と、
を備え、
前記演出実行手段は、
異なる演出態様の各々に対応する１次項目を遊技者が選択可能に表示する第１特定演出を実行可能であり、
前記第１特定演出を実行した後に、種類の異なる複数の演出の各々に対応する２次項目を遊技者が選択可能に表示する第２特定演出を実行可能であり、
前記第１特定演出において前記１次項目に含まれる第１の項目が選択された場合と該第１の項目とは異なる第２の項目が選択された場合とで、前記選択手段が前記２次項目の選択を受付ける際の表示態様が異なる前記第２特定演出を実行可能であり、
前記第２特定演出において前記選択手段により前記２次項目を受付けた場合は、該受付けた前記２次項目に対応する第１特別演出を前記有利状態に制御されるか否かに応じて異なる態様で実行可能であり、
前記第２特定演出において前記選択手段により前記２次項目を受付けなかった場合は、前記有利状態に制御されるときに、前記有利状態に制御されないときよりも高い割合で前記第１特定演出に対応した第２特別演出を実行可能であり、
前記有利状態において、前記第１項目に対応する第３項目を遊技者が選択可能に表示する第３特定演出を実行可能である、
ことを特徴とする遊技機。
【手続補正２】
【補正対象書類名】明細書
【補正対象項目名】０００６
【補正方法】変更
【補正の内容】
【０００６】
前記課題を解決するために、本発明の手段Ａの遊技機は、
遊技者にとって有利な有利状態に制御可能な遊技機であって、
遊技者の操作により項目の選択を受付け可能な選択手段と、
複数種類の演出を実行可能な演出実行手段と、
を備え、
前記演出実行手段は、
異なる演出態様の各々に対応する１次項目を遊技者が選択可能に表示する第１特定演出を実行可能であり、
前記第１特定演出を実行した後に、種類の異なる複数の演出の各々に対応する２次項目を遊技者が選択可能に表示する第２特定演出を実行可能であり、
前記第１特定演出において前記１次項目に含まれる第１の項目が選択された場合と該第１の項目とは異なる第２の項目が選択された場合とで、前記選択手段が前記２次項目の選択を受付ける際の表示態様が異なる前記第２特定演出を実行可能であり、
前記第２特定演出において前記選択手段により前記２次項目を受付けた場合は、該受付けた前記２次項目に対応する第１特別演出を前記有利状態に制御されるか否かに応じて異なる態様で実行可能であり、
前記第２特定演出において前記選択手段により前記２次項目を受付けなかった場合は、前記有利状態に制御されるときに、前記有利状態に制御されないときよりも高い割合で前記第１特定演出に対応した第２特別演出を実行可能であり、
前記有利状態において、前記第１項目に対応する第３項目を遊技者が選択可能に表示する第３特定演出を実行可能である、
ことを特徴とする。
また、手段１の遊技機として、
遊技を行うことが可能な遊技機（例えば、パチンコ遊技機１）であって、
種類の異なる複数の演出の各々に対応する項目（例えば、第１項目や第２項目）を遊技者が選択可能に表示して、演出の選択を受付け可能な演出選択手段（例えば、演出制御用ＣＰＵ１２０が１１１ＳＧＳ４３５や１１１ＳＧＳ４６６、１１１ＳＧＳ４６７にて第１選択画面や第２選択画面を表示する部分など）と、
前記演出選択手段にて受付けた演出を実行可能な演出実行手段（例えば、演出制御用ＣＰＵ１２０が１１１ＳＧＳ３０５の予告演出処理においてバトル予告やＳＵ予告を実行する部分など）と、
特定演出を実行可能な特定演出実行手段（例えば、演出制御用ＣＰＵ１２０が第１選択演出を実行する部分）と、
を備え、
前記特定演出が第１態様で実行された場合と前記特定演出が第２態様で実行された場合とで、前記演出選択手段が項目の選択を受付ける際の表示態様が異なる（例えば、演出制御用ＣＰＵ１２０が、ＳＵ予告の第１選択演出にてキャラクタＡの選択を受付けた場合、第２選択画面においてパターンＸの第２項目を初期選択状態とし、第１選択演出にてキャラクタＢの選択を受付けた場合、第２選択画面においてパターンＹの第２項目を初期選択状態とし、第１選択演出にてキャラクタＣの選択を受付けた場合、第２選択画面においてパターンＺの第２項目を初期選択状態とする部分。予告演出処理における１１１ＳＧＳ４６０〜１１１ＳＧＳ４６６の処理を実行する部分）
ことを特徴としてもよい。
この特徴によれば、特定演出の態様に応じて項目の表示態様が変わるため、興趣が向上する。
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
パターン開口が形成されたパターン部および前記パターン部を囲む枠部を有するマスク本体と、前記枠部を支持するマスクフレームとを備え、
前記枠部の外縁に、前記枠部の他の部位よりも厚みの薄い薄肉部が形成され、前記薄肉部の端面を含む部分が前記マスクフレームに固定される、
蒸着マスク。
【請求項２】
前記マスクフレームが、マスクフレーム基材と前記マスクフレーム基材の前記マスク本体が配置される側に配置される接合部材とを有し、
前記接合部材に、前記マスク本体が固定される、請求項１に記載の蒸着マスク。
【請求項３】
前記接合部材の厚みが０．２ｍｍ以下である、請求項２に記載の蒸着マスク。
【請求項４】
前記マスクフレームが、複数個の前記マスク本体を保持する、請求項１から３のいずれかに記載の蒸着マスク。
【請求項５】
前記マスク本体が電鋳マスクである、請求項１から４のいずれかに記載の蒸着マスク。
【請求項６】
前記接合部材は、前記薄肉部よりも薄い、請求項１に記載の蒸着マスク。
【請求項７】
パターン開口が形成されたパターン部および前記パターン部を囲む枠部を有するマスク本体と、前記枠部を固定するマスクフレームとを備え、
前記マスクフレームは、マスクフレーム基材と前記マスクフレーム基材の前記マスク本体が配置される側に配置され、前記マスク本体と接する接合部材とを有し、
前記接合部材の剛性は、前記枠部の剛性よりも低く、
前記枠部は、前記接合部材と交差する側面を有し、
前記側面は、第１の領域と、点状で且つ前記第１の領域の表面よりも表面が粗い複数個の第２の領域と、第３の領域と、前記第３の領域の外側に位置し、且つ前記側面を含む第４の領域と、を有し、
前記第４の領域は、前記第３の領域よりも薄く、
前記接合部材は、前記第４の領域よりも薄い、
蒸着マスク。
【請求項８】
前記第２の領域は、前記枠部と前記マスクフレームとの溶接痕である、請求項７に記載の蒸着マスク。
【請求項９】
前記接合部材はインバーで形成されている、請求項７又は請求項８に記載の蒸着マスク。
【請求項１０】
パターン開口が形成されたパターン部および前記パターン部を囲む枠部を有するマスク本体を、前記枠部を支持するマスクフレーム上に配置すること、および、
前記枠部の端面を含む部分を、前記マスクフレームに溶接すること、
をこの順で含み、
前記枠部は、第１の領域と、前記第１の領域の外側に位置し、且つ前記端面を含む第２の領域と、を有し、
前記第２の領域は、前記第１の領域よりも薄く、
前記接合部材は、前記第２の領域よりも薄い、蒸着マスクの製造方法。
【請求項１１】
前記端面にレーザーを照射して、前記マスクフレームに前記マスク本体を溶接する、請求項１０に記載の製造方法。
【請求項１２】
前記マスクフレームが、マスクフレーム基材と前記マスクフレーム基材の前記マスク本体が配置される側に配置される接合部材とを有し、
前記端面を、前記接合部材に溶接する、請求項１０または１１に記載の製造方法。
【請求項１３】
パターン開口が形成されたパターン部および前記パターン部を囲む枠部を有するマスク本体を、前記枠部を支持するマスクフレーム上に配置させた状態で、前記マスクフレームを保持するマスクフレーム保持部と、
前記マスクフレームに前記マスク本体を溶接する溶接ユニットと
を備え、
前記溶接ユニットが、前記マスク本体の、前記枠部の外縁に形成された、前記枠部の他の部位よりも厚みの薄い薄肉部を、前記マスクフレームに溶接するように構成される、
蒸着マスクの製造装置。
【請求項１４】
前記溶接ユニットがレーザー照射部を有する、請求項１３に記載の製造装置。
【請求項１５】
前記マスクフレームが、マスクフレーム基材と前記マスクフレーム基材の前記マスク本体が配置される側に配置される接合部材とを有し、
前記溶接ユニットが、前記接合部材に前記マスク本体を溶接する、請求項１３または１４に記載の製造装置。